【手続補正書】
【提出日】平成19年5月15日(2007.5.15)
【手続補正１】
【補正対象書類名】明細書
【補正対象項目名】全文
【補正方法】変更
【補正の内容】
【書類名】          明細書
【発明の名称】      苗植機
【特許請求の範囲】
【請求項１】  乗用車体（１）の前部でステアリングポスト（２）部の外側方に、多段苗棚形態の補助苗載棚枠（３）を設ける苗植機において、隣接のバックミラ−（５）よりも上位の前記補助苗載棚枠（３）の上段部（４）を、前記バックミラー（５）よりも低位に下降乃至取外し可能に設けたことを特徴とする苗植機。
【請求項２】  補助苗載棚枠（３）を車体（１）幅の内外へ移動可能に設けると共に、この補助苗載棚枠（３）の内側への収納位置の前側にバックミラー（５）を配置したことを特徴とする請求項１に記載の苗植機。
【請求項３】  前記バックミラー（５）を収納位置の補助苗載棚枠（３）の上下苗棚（６）間の間隔部（７）に対向させて設け、最上段の苗棚（６）に苗（Ｎ）を載せた状態では車両制限高さ（Ｈ）を越えると共に、この載置苗（Ｎ）を取除くことによって車両制限高さ（Ｈ）以下を維持し、ステアリングポスト（２）の両側部に前後方向にわたって形成されるステップフロア（８）を設け、該ステップフロア（８）の外側部に補助苗載棚枠（３）を着脱可能に支持する支持ホルダー（９）を設け、この支持ホルダー（９）から取外した補助載棚枠（３）をステップフロア（８）上に載置可能に構成したことを特徴とする請求項１又は２に記載の苗植機。
【発明の詳細な説明】
【０００１】
【発明の属する技術分野】
この発明は、補助苗載装置を備える苗植機に関する。乗用走行形態の苗植機の車体に補給用の補助苗載棚枠を備えたもので、苗植装置の苗が減少するとこの補助苗載棚枠に搭載の苗を補給しなが苗植作業を長時間にわたって継続するものである。
【０００２】
【従来の技術】
苗植機の車体の後側に多条植形態の苗植装置を装着すると共に、前部のステアリングポスト部の左右外側に多段苗棚形態の補助苗載棚枠を配置する技術が知られている。
【０００３】
【発明が解決しようとする課題】
多段苗棚形態の補助苗載棚枠を車体の前部に配置する苗植機では、バックミラーの設置の邪魔になり易く、苗植作業時はもとより路上走行時に視界を遮り易い。特に路上走行では特殊車両としてバックミラーの設置などの条件、規制を受けるものである。
【０００４】
【課題を解決するための手段】
請求項１に記載の発明は、乗用車体（１）の前部でステアリングポスト（２）部の外側方に、多段苗棚形態の補助苗載棚枠（３）を設ける苗植機において、隣接のバックミラ−（５）よりも上位の前記補助苗載棚枠（３）の上段部（４）を、前記バックミラー（５）よりも低位に下降乃至取外し可能に設けたことを特徴とする苗植機の構成とする。
【０００５】
請求項２に記載の発明は、補助苗載棚枠（３）を車体（１）幅の内外へ移動可能に設けると共に、この補助苗載棚枠（３）の内側への収納位置の前側にバックミラー（５）を配置したことを特徴とする請求項１に記載の苗植機の構成とする。
【０００６】
請求項３に記載の発明は、前記バックミラー（５）を収納位置の補助苗載棚枠（３）の上下苗棚（６）間の間隔部（７）に対向させて設け、最上段の苗棚（６）に苗（Ｎ）を載せた状態では車両制限高さ（Ｈ）を越えると共に、この載置苗（Ｎ）を取除くことによって車両制限高さ（Ｈ）以下を維持し、ステアリングポスト（２）の両側部に前後方向にわたって形成されるステップフロア（８）を設け、該ステップフロア（８）の外側部に補助苗載棚枠（３）を着脱可能に支持する支持ホルダー（９）を設け、この支持ホルダー（９）から取外した補助載棚枠（３）をステップフロア（８）上に載置可能に構成したことを特徴とする請求項１又は２に記載の苗植機の構成とする。
【０００７】
【発明の効果】
請求項１に記載の発明では、苗植作業時は、補助苗載棚枠３の上段部４を苗載置状態に形成して、各棚部に苗を載せた状態で苗植を行う。苗植装置の苗タンクの苗が減少すると、運転者が補助苗載棚枠３から苗を取出しながら後側の苗植装置へ補給する。苗植作業を終って路上走行するときは、補助苗載棚枠３の上段部４を、下降乃至取外して、上部にバックミラー５を露出させることによって、運転席部から運転者がこのバックミラー５を見ながら後方を視界に入れながら運転走行することができる。このため、バックミラー５の着脱等の操作は不要であり、苗植作業に要する補助苗載棚枠３の上段部４のみの下降乃至取外しによって簡単にバックミラー５を視界域に切替えでき、操作が簡単であり、バックミラー５の設置高さや位置を低く適正に設定できる。
【０００８】
請求項２に記載の発明は、請求項１に記載の発明の効果に加えて、苗植作業時には、補助苗載棚枠３を車体１の外側へ移動させて、各段の苗棚に苗を載置させた状態で苗植を行いながら、この補助苗載棚枠３から苗を取出して苗植装置へ供給し苗植作業を行う。このとき、車体１の内側にはバックミラー５が露出されて後側を視界に入れながら苗植作業を行うことができる。又、苗植作業を終って路上走行するときは、補助苗載棚枠３を車体１の内側の収納位置へ移動させることによって、この前側のバックミラー５で後方を視界に入れることができる状態にすることが容易に行うことができ、構成、及び操作共に簡単にして、走行運転を行い易くする。
【０００９】
請求項３に記載の発明は、請求項１又は２に記載の発明の効果に加えて、前記のように補助苗載棚枠３を収納位置に移動させたときは、バックミラー５がこの上下の苗棚６間の間隔部７に対向するために、苗棚６上に苗の無い状態では、バックミラー５をこの間隔部７から視界に入れて運転することができ、特別にこのバックミラー５の上側の苗載棚枠の視界域部分を取除く必要もなく、運転を容易に行うことができる。
【００１０】
更に、補助苗載棚枠３の各苗棚６に苗Ｎを載せた状態では、最上段の苗棚６の苗Ｎが車両制限高さＨを越えるために、苗棚６の段数を増すことができ、この苗棚６から苗Ｎを取除くことによって、補助苗載棚枠３からの上端部を車両制限高さＨ以下に維持するため、補助苗載棚枠３の高さは変更しない状態で路上運転を行うことができ、苗植作業から路上運転への切替を簡単化することができる。
【００１１】
しかも、車体１前部両側の支持ホルダー９に補助苗載棚枠３を取付けることによって苗植作業姿勢とすることができ、この補助苗載棚枠３を支持ホルダー９から取外して、ステアリングポスト２と支持ホルダー９との間のステップフロア８上に載せることによって、補助苗載棚枠３の収納状態として、荷造りや、格納等を行い易くすることができる。補助苗載棚枠３は多段苗棚形態であるにも拘らず、ステップフロア８上に沿わせることによって低くすることができ、外側を支持ホルダー９によって支持規制できるため、荷崩れを生じ難く、安全な格納、運搬を行うことができる。
【００１２】
【発明の実施の形態】
この発明は、乗用走行形態のトラクタ車体の後部に苗植装置を装着した苗植機に利用でき、この車体の前部に多段苗棚形態の補助苗載棚枠を配置して、運転者がこの補助苗載棚枠に載置した苗を取外しながら苗植装置へ補給しながら苗植作業を継続することができる。このような苗植機は、苗植作業以外で路上走行することがあり、このようなときは特別な車両として車体の高さ制限や幅制限等があり、バックミラーの設置条件等があるため、これらの条件を満すことを要する。
【００１３】
ここに、この発明は、次のような形態で実施することができる。すなわち、乗用車体の前部でステアリングポスト２部の外側方に、多段苗棚形態の補助苗載棚枠３を設ける苗植機において、この補助苗載棚枠３の上段部４を、隣設のバックミラー５よりも低位に下降乃至取外し可能に設けたことを特徴とする補助苗載装置の構成として、苗植作業時には多量の補助苗を搭載し、路上走行時はこの補助苗載棚枠の上段部の下降等によって簡単にバックミラーを視界域に切替える。
【００１４】
また、乗用車体１の前部でステアリングポスト２部の外側方に、多段苗棚形態の補助苗載棚枠３を設ける苗植機において、この補助苗載棚枠３を車体１幅の内外へ移動可能に設けると共に、この補助苗載棚枠３の内側への収納位置の前側にバックミラー５を配置したことを特徴とする補助苗載装置の構成として、補助苗載棚枠を車体幅の内外へ移動することによって、バックミラーによる視界域を得るものである。ここにおいて、補助苗載棚枠を外側に移動させた状態では、各苗棚部に苗を載せた状態にあるが、バックミラーはこの補助苗載棚枠の内側方にあって後方視界域を容易化する。補助苗載棚枠を内側へ移動させた状態では、苗棚上面に苗が無い空の状態であり、このバックミラーよりも上位に位置する補助苗載棚枠部分を下降させたり、取外すことによってバックミラーの視界を簡単にうることができる。
【００１５】
また、前記バックミラー５は、収納位置の補助苗載棚枠３の上下苗棚６間の間隔部７に対向させて設けたことを特徴とするもので、バックミラーの視界域は、上下の苗棚間の間隔部からうることができ、補助苗載棚枠を収納位置へ切替移動するだけで後方視認することができる。
【００１６】
更に、乗用車体１の前部でステアリングポスト２部の外側方に、多段苗棚形態の補助苗載棚枠３を設ける苗植機において、最上段の苗棚６に苗Ｎを載せた状態では車両制限高さＨを越えると共に、この載置苗Ｎを取除くことによって車両制限高さＨ以下を維持することを特徴とする補助苗載装置の構成として、最上段の苗棚からの苗の取出によって直ちに路上を走行しうる状態として、構成及び操作を簡単化する。
【００１７】
しかも、苗植機の格納ないし荷造りをコンパクトに、安全状態に行いうる。
【００１８】
【実施例】
この発明の実施例を図面に基づいて説明する。まず第一実施例を図１〜図６に基づいて説明する。苗植機は、トラクタ車体１の後側に平行リンク状のリフトリンク１０によって六条植形態の苗植装置１１を装着したものある。この車体１は、前部中央部にステアリングハンドル１２を支持するステアリングポスト２が配置され、後部にエンジン１３を搭載すると共に、このエンジン１３を覆うエンジンカバー１４上に運転席１５を配置する。これらステアリングポスト１の左右両側部から後側のエンジンカバー１４の左右両側部にわたってステップフロア８を設けている。
【００１９】
前車輪１６は、これらステアリングポスト１と運転席１５との間の運転フロア１７部の横方向でステップフロア８の下側部に前車軸１８支架され、後車輪１９は、車体１後端部に後車軸２０で支架されて、前記エンジン１３によって伝動駆動されると共に、ステアリングハンドル１２によって操向連動される。
【００２０】
前記リフトリンク１０は、車体１との間に伸縮されるリフトシリンダ２１を介して昇降されると共に、苗植装置１１を昇降できる。この苗植装置１１は、リフトリンク１０後端のリヤリンク２２に対して苗植フレーム２３がローリング軸２４を介してローリング自在に連結される。この苗植フレーム２３には、下側にセンタフロート２５とサイドフロート２６が配置され、上方には左右へ往復横移動されながら収容するマット状の苗を後下方へ繰出す苗タンク２７を設け、後端にはこの苗タンク２７から供給される苗を分離して植付ける苗植爪２８を設けて、各フロート２５，２６で均平される土壌面に六条形態に苗植付を行う。
【００２１】
この苗タンク２７に補給するためのマット状の苗Ｎを搭載する補助苗載棚枠３が、車体１の前部でステアリングポスト２部の外側方に配置される。この補助苗載棚枠３は、苗Ｎを載せる苗棚６が六段にわたって一定高さ間隔に形成されて、各段から苗Ｎの出入れを行うことができる。この補助苗棚枠３の下端には取付部２９を有し、前記前車輪１６を軸装するフロントアクスルハウジング３０等の両端部に取付支持するパイプ状の支持ホルダー９を設け、この支持ホルダー９の上端に該取付部２９下端の差込部３５を嵌合させて、補助苗載棚枠３を取付できる。
【００２２】
この支持ホルダー９は、ステップフロア８の外側端部に位置して、側面視で門形状にして適宜高さに突設される。この支持ホルダー９の上部にはパイプ状の支持ポスト３１が設けられて、この支持ポスト３１上に前記取付部２９の差込部３５が嵌合されて、補助苗載棚枠３はこの支持ポスト３２の回りに内外ほぼ半回転することができる。この補助苗載棚枠３を外側の苗植作業位置Ａに向けた状態では、各苗棚６の間隔部７は外側に向けて開口された状態で、ステアリングポスト１部との間の前部ステップフロア８上方部は、運転者の移動しうる空間を形成する。又、逆に内側の収納位置Ｂに回動させた状態では、ステップフロア８上方に位置されて、内側の車体１幅内に収納された状態となる。
【００２３】
又、前記各苗棚６は、育苗箱で育苗されたマット状の苗Ｎを、この育苗箱のままで載置しうる形態としているが、この育苗箱から取出した苗Ｎのみを載置できる形態とすることもできる。更に各苗棚６には複数枚毎載せることができるように構成するもよい。
【００２４】
前記補助苗載棚枠３は、上段部４数段部を支持する上部棚枠３２を、これより下部の下部棚枠３３に対して上下動可能に嵌合させる。この上部棚枠３２を上方に位置させたときは、最上段の苗棚６は、車両制限高さＨよりも高い位置Ｋになるが、下降させたときはこの制限高さＨよりも低い位置Ｌとなるように設定される。又、この上部棚枠３２は締め付けボルト３６の操作で下部棚枠３３上から取り外すことができるように構成することもできる。
【００２５】
バックミラー５を取り付けるミラーポール３４は、前記支持ホルダー９の前部上端から上方へ立設されて、補助苗載棚枠３の回動中心である支持ポスト３１の前方に位置して設けられる。この補助苗載棚枠３は後側回りに旋回されて内外へ切替られることによって、ミラーポール３４は、この作業位置Ａと収納位置Ｂとのいずれの状態においても背側に位置して、旋回の邪魔にならない形態にある。
【００２６】
この上端のバックミラー５は、前記車両制限高さＨよりも下位にあって、上部棚枠３２の苗棚６の上下間隔部７に対向した高さに設定される。この高さはミラーポール３４の伸縮等による調節によって設定しうる形態とするもよい。又、補助苗載棚枠３が外側の作業位置Ａにあるときは、内側のステップフロア８上方に露出しているが、内側の収納位置Ｂにあるときは、このバックミラー５は後側の空苗棚６の間隔部７に対向する。
【００２７】
苗植作業時には、補助苗載棚枠３を作業位置Ａに向けて、上部棚枠３２を上方に位置Ｋさせる。各苗棚６に苗Ｎを載せておき、又、各苗タンク２７にも苗を供給させた状態で、苗植作業を行う。このときバックミラー５は補助苗載棚枠３の内側、即ちステップフロア８の上方位置にあるから、後方の苗植付位置等を視認することができる。苗タンク２７の苗が減少すると、運転者は運転席１５からステップフロア８上を移動しながら、補助苗載棚枠３の各苗棚６の苗Ｎを取出しながら後方の苗タンク２７へ供給する。
【００２８】
苗植作業が終わって路上走行するときは、補助苗載棚枠３の上部棚枠３２を下降させて、上端の苗棚６を車両制限高さＨよりも下位Ｌに下動させる。そして、この補助苗載棚枠３を支持ポスト３１の回りに内側へ回動させて、各苗棚６がステップフロア８の上方に位置するように収納位置Ｂの補助苗載棚枠３の前側で、上下苗棚６間の間隔部７に対向するものであるから、運転席１５の運転者は、この間隔部７を通してバックミラー５を見ることができ、車体１の後方域を確認することができる。又、この上部棚枠３２を取外した場合も同様である。
【００２９】
前記上部棚枠３２は、バックミラー５よりも上方に位置する苗棚６部分を、このバックミラー５よりも下側へ下降させたり、又は取外して低くするように構成することができ、この場合は、バックミラー５は収納位置Ｂの補助苗載棚枠３の上側に露出されることとなる。
【００３０】
又、図４に示すように上部棚枠３２を二段階に伸縮できる構成として、作業位置Ａでは高位置Ｋに引き出し、収納位置Ｂでは低位置Ｌに押し下げるように構成することもできる。
【００３１】
苗植機を格納したり、荷造りするときは、前記左右の支持ホルダー９から補助苗載棚枠３を取外して、ステアリングポスト２と左右外側の支持ホルダー９との間のステップフロア８上に沿わせて、倒した姿勢にして載置することができる。このとき補助苗載棚枠３が一連に高い形態であるときは、図５のようにステップフロア８上に前後方向に向けて載置し、上下に分割できる形態では、図６のように横方向に向けた状態にして載置することができる。
【００３２】
次に第二実施例を主として図７に基づいて上例と異なる点を説明する。補助苗載棚枠３は、最上段の六段目の苗棚６の上端を車両制限高さＨよりも若干低い高さ位置Ｋに設定し、この苗棚６の上面に苗Ｎを載置したときの状態では、この苗Ｎの上端が該車両制限高さＨよりも上方位置Ｍに突出する状態となるように設定する。このような補助苗載棚枠３の支持ホルダー９に対する支持取付は上例と同様である。
【００３３】
収納位置Ｂにおける補助苗載棚枠３は、車両制限高さＨ以下にあり、バックミラー５も間隔部７を通して見ることができる。
【図面の簡単な説明】
【図１】第一実施例に係る苗植機の正面図。
【図２】その側面図。
【図３】その平面図。
【図４】その一部の作用状態を示す正面図。
【図５】その一部の作用状態を示す側面図。
【図６】その一部の作用状態を示す側面図。
【図７】第二実施例に係る苗植機の正面図。
【符号の説明】
１  車体
２  ステアリングポスト
３  補助苗載棚枠
４  上段部
５  バックミラー
６  苗棚
７  間隔部
８  ステップフロア
９  支持ホルダー